(57)【要約】【課題】簡易な構造で補強フィルムを一体的に内装できる実用的な転動体収容具の提供。【解決手段】レール体と該レール体に対して直動する直動体に設けられる転動体無限循環路に、複数の転動体１を所定間隔をおいて回転可能な状態で収容して配設するための転動体収容具であって、帯状で前記転動体１が収容される窓部２が複数設けられた収容具本体３の幅方向両端に夫々、この収容具本体３の長手方向に延びる補強フィルム４が埋設される溝部５を設け、前記補強フィルム４には前記溝部５の対向内面に設けられた係止部６に係止する被係止部７を設け、前記補強フィルム４を前記溝部５の対向内面間に前記係止部６及び前記被係止部７により係止状態で埋設する。【選択図】図１
2018189115.tif 000002
【特許請求の範囲】
【請求項１】
レール体と該レール体に対して直動する直動体に設けられる転動体無限循環路に、複数の転動体を所定間隔をおいて回転可能な状態で収容して配設するための転動体収容具であって、帯状で前記転動体が収容される窓部が複数設けられた収容具本体の幅方向両端には夫々、この収容具本体の長手方向に延びる補強フィルムが埋設される溝部が設けられ、前記補強フィルムには前記溝部の対向内面に設けられた係止部に係止する被係止部が設けられており、前記補強フィルムは前記溝部の対向内面間に前記係止部及び前記被係止部により係止状態で埋設されていることを特徴とする転動体収容具。
【請求項２】
請求項１記載の転動体収容具において、前記補強フィルムには前記被係止部としての孔部が長手方向に複数並設されていることを特徴とする転動体収容具。
【請求項３】
請求項２記載の転動体収容具において、前記溝部には前記係止部として前記孔部を貫通する杆部が長手方向に複数並設されていることを特徴とする転動体収容具。
【請求項４】
請求項３記載の転動体収容具において、前記杆部は前記溝部の対向内面に架設されていることを特徴とする転動体収容具。
【請求項５】
請求項１〜４いずれか１項に記載の転動体収容具において、前記補強フィルムの幅は、前記窓部側方の枠幅の３０％〜５０％に設定されていることを特徴とする転動体収容具。
【請求項６】
請求項１〜５いずれか１項に記載の転動体収容具において、前記補強フィルムは合成樹脂製であることを特徴とする転動体収容具。
【請求項７】
レール体と該レール体に対して直動する直動体に設けられる転動体無限循環路に、複数の転動体を所定間隔をおいて回転可能な状態で収容して配設するための転動体収容具の製造方法であって、一対の金型の空洞部内にフィルムの必要部分を配置した状態で射出成形する際、前記フィルムの前記空洞部外に位置する不要部分の所定箇所を位置決め機構で位置決めし、射出成形後、前記フィルムの不要部分を除去することで、幅方向両端に補強フィルムが埋設された転動体収容具を製造することを特徴とする転動体収容具の製造方法。
【請求項８】
請求項７記載の転動体収容具の製造方法において、前記補強フィルムは、帯状で前記転動体が収容される窓部が複数設けられた収容具本体の幅方向両端に夫々設けられ、この収容具本体の長手方向に延びる溝部に埋設されるものであり、前記補強フィルムには前記溝部の対向内面に設けられる係止部に係止する被係止部が設けられており、前記補強フィルムは前記溝部の対向内面間に前記係止部及び前記被係止部により係止状態で埋設される構造であることを特徴とする転動体収容具の製造方法。
【請求項９】
請求項７，８いずれか１項に記載の転動体収容具の製造方法において、前記補強フィルムは合成樹脂製であることを特徴とする転動体収容具の製造方法。
【請求項１０】
請求項７〜９いずれか１項に記載の転動体収容具の製造方法において、前記フィルムとして前記必要部分に孔部が設けられたものを採用したことを特徴とする転動体収容具の製造方法。
【請求項１１】
請求項７〜１０いずれか１項に記載の転動体収容具の製造方法において、前記位置決め機構は前記フィルムの前記不要部分に形成された凹部とこの凹部に係止する前記金型側に設けられる係止凸部とで構成されたものであることを特徴とする転動体収容具の製造方法。
【発明の詳細な説明】
【技術分野】
【０００１】
本発明は、転動体収容具及びその製造方法に関するものである。
【背景技術】
【０００２】
レールと該レールに対して直動するブロックとから成り、転動体が循環する無限循環路を備えた直動装置においては、無限循環路内を転動しつつ循環する複数の転動体を介してブロックをレールに対して相対移動させている。
【０００３】
上記直動装置では、ブロックの移動に伴い隣り合う転動体同士が擦れ合って円滑な転動が妨げられたり、騒音が生じたりするため、従来から、転動体を整列させる転動体収容具が用いられている。
【０００４】
このような転動体収容具は種々提案されており、例えば、出願人は特許文献１に開示される合成樹脂製の補強フィルムを内装した合成樹脂製の転動体収容具を提案している。
【０００５】
ところで、このような補強フィルムを転動体収容具に内装する場合、補強フィルムと転動体収容具とが密着し難く、一体性を確保することが難しい（補強フィルムによる補強作用が十全に発揮され難い）という問題点がある。
【先行技術文献】
【特許文献】
【０００６】
【特許文献１】特許第５９５７３９５号公報
【発明の概要】
【発明が解決しようとする課題】
【０００７】
本発明は、上述のような現状に鑑みなされたもので、簡易な構造で補強フィルムを一体的に内装できる実用的な転動体収容具を提供するものである。
【課題を解決するための手段】
【０００８】
添付図面を参照して本発明の要旨を説明する。
【０００９】
レール体と該レール体に対して直動する直動体に設けられる転動体無限循環路に、複数の転動体１を所定間隔をおいて回転可能な状態で収容して配設するための転動体収容具であって、帯状で前記転動体１が収容される窓部２が複数設けられた収容具本体３の幅方向両端には夫々、この収容具本体３の長手方向に延びる補強フィルム４が埋設される溝部５が設けられ、前記補強フィルム４には前記溝部５の対向内面に設けられた係止部６に係止する被係止部７が設けられており、前記補強フィルム４は前記溝部５の対向内面間に前記係止部６及び前記被係止部７により係止状態で埋設されていることを特徴とする転動体収容具に係るものである。
【００１０】
また、請求項１記載の転動体収容具において、前記補強フィルム４には前記被係止部７としての孔部が長手方向に複数並設されていることを特徴とする転動体収容具に係るものである。
【００１１】
また、請求項２記載の転動体収容具において、前記溝部５には前記係止部６として前記孔部を貫通する杆部が長手方向に複数並設されていることを特徴とする転動体収容具に係るものである。
【００１２】
また、請求項３記載の転動体収容具において、前記杆部は前記溝部５の対向内面に架設されていることを特徴とする転動体収容具に係るものである。
【００１３】
また、請求項１〜４いずれか１項に記載の転動体収容具において、前記補強フィルム４の幅Ｙは、前記窓部２側方の枠幅Ｘの３０％〜５０％に設定されていることを特徴とする転動体収容具に係るものである。
【００１４】
また、請求項１〜５いずれか１項に記載の転動体収容具において、前記補強フィルム４は合成樹脂製であることを特徴とする転動体収容具に係るものである。
【００１５】
また、レール体と該レール体に対して直動する直動体に設けられる転動体無限循環路に、複数の転動体１を所定間隔をおいて回転可能な状態で収容して配設するための転動体収容具の製造方法であって、一対の金型21ａ・21ｂの空洞部22内にフィルム23の必要部分24を配置した状態で射出成形する際、前記フィルム23の前記空洞部22外に位置する不要部分25の所定箇所を位置決め機構で位置決めし、射出成形後、前記フィルム23の不要部分25を除去することで、幅方向両端に補強フィルム４が埋設された転動体収容具を製造することを特徴とする転動体収容具の製造方法に係るものである。
【００１６】
また、請求項７記載の転動体収容具の製造方法において、前記補強フィルム４は、帯状で前記転動体１が収容される窓部２が複数設けられた収容具本体３の幅方向両端に夫々設けられ、この収容具本体３の長手方向に延びる溝部５に埋設されるものであり、前記補強フィルム４には前記溝部５の対向内面に設けられる係止部６に係止する被係止部７が設けられており、前記補強フィルム４は前記溝部５の対向内面間に前記係止部６及び前記被係止部７により係止状態で埋設される構造であることを特徴とする転動体収容具の製造方法に係るものである。
【００１７】
また、請求項７，８いずれか１項に記載の転動体収容具の製造方法において、前記補強フィルム４は合成樹脂製であることを特徴とする転動体収容具の製造方法に係るものである。
【００１８】
また、請求項７〜９いずれか１項に記載の転動体収容具の製造方法において、前記フィルム23として前記必要部分24に孔部が設けられたものを採用したことを特徴とする転動体収容具の製造方法に係るものである。
【００１９】
また、請求項７〜１０いずれか１項に記載の転動体収容具の製造方法において、前記位置決め機構は前記フィルム23の前記不要部分25に形成された凹部26とこの凹部26に係止する前記金型側に設けられる係止凸部27とで構成されたものであることを特徴とする転動体収容具の製造方法に係るものである。
【発明の効果】
【００２０】
本発明は上述のように構成したから、簡易な構造で補強フィルムを一体的に内装できる実用的な転動体収容具となる。
【図面の簡単な説明】
【００２１】
【図１】本実施例の概略説明斜視図である。
【図２】本実施例の一部を切り欠いた拡大概略説明斜視図である。
【図３】本実施例の要部の拡大概略説明断面図である。
【図４】本実施例の製造工程を説明する概略説明図である。
【図５】本実施例の製造工程を説明する概略説明図である。
【図６】本実施例の製造工程を説明する概略説明図である。
【図７】本実施例の製造工程を説明する概略説明図である。
【図８】本実施例のフィルムの不要部分除去前の概略説明斜視図である。
【図９】本実施例のフィルムの不要部分除去前の一部を切り欠いた拡大概略説明斜視図である。
【図１０】本実施例の製造工程を説明する概略説明図である。
【図１１】別例の製造工程を説明する概略説明図である。
【図１２】別例のフィルムの不要部分除去前の一部を切り欠いた拡大概略説明斜視図である。
【発明を実施するための形態】
【００２２】
好適と考える本発明の実施形態を、図面に基づいて本発明の作用を示して簡単に説明する。
【００２３】
補強フィルム４が収容具本体３の両端の溝部５に、対向内面に係止された状態で埋設される。従って、補強フィルム４は収容具本体３に強固に一体的に内装され、補強フィルム４による補強作用が長期間良好に発揮される。
【００２４】
また、本発明に係る転動体収容具３は、一般的なインサート成形により容易に製造できる。例えば、一対の金型21ａ・21ｂの空洞部22内にフィルム23の必要部分24を配置した状態で射出成形する際、フィルム23の前記空洞部22外に位置する不要部分25の所定箇所を位置決め機構で位置決めし、射出成形後、フィルム23の不要部分25を除去するようにすれば、容易に且つ精度良く製造できる。
【実施例】
【００２５】
本発明の具体的な実施例について図面に基づいて説明する。
【００２６】
本実施例は、レール体と該レール体に対して直動する直動体に設けられる転動体無限循環路に、複数の転動体１を所定間隔をおいて回転可能な状態で収容して配設するための転動体収容具であって、帯状で前記転動体１が収容される窓部２が複数設けられた収容具本体３の幅方向両端には夫々、この収容具本体３の長手方向に延びる補強フィルム４が埋設される溝部５が設けられ、前記補強フィルム４には前記溝部５の対向内面に設けられた係止部６に係止する被係止部７が設けられており、前記補強フィルム４は前記溝部５の対向内面間に前記係止部６及び前記被係止部７により係止状態で埋設されているものである。
【００２７】
具体的には、本実施例は、レールと該レールに沿って移動するブロックとから成る一般的な直動装置の（負荷路と無負荷路とリターン路とで構成される）転動体無限循環路に配設されるものである。
【００２８】
図１に図示したように、収容具本体３は、帯状で、円柱状の転動体１が配設される窓部２（転動体収容部）が所定間隔で複数設けられたものである。窓部２には、転動体１を回転可能な状態で収容するための上側爪部８及び下側爪部９が設けられている。収容具本体３の左右両端面には、溝部５が設けられ、この溝部５に補強フィルム４が埋設されている。また、収容具本体３の幅方向両端の上下面は、幅方向両端側程先細るテーパ面に設定されている。
【００２９】
図２，３に図示したように、補強フィルム４には前記被係止部７としての孔部が長手方向に複数並設され、前記溝部５には該溝部５の対向内面に架設され前記孔部を貫通する前記係止部６としての杆部が長手方向に複数並設されている。即ち、溝部５は全体としてスリット状で所定間隔で柱状に杆部が設けられる構成となる。
【００３０】
また、補強フィルム４は一定幅であり、収容具本体３にその面方向を揃えて埋設されている。また、補強フィルム４は、各溝部５に１つずつ、収容具本体３の先端部から後端部まで略全域にわたって設けられている。
【００３１】
また、補強フィルム４の幅Ｙは、窓部２の側方、即ち、収容具本体幅方向側の枠の長手方向及び幅方向の強度のバランスを考慮し、窓部２の収容具本体幅方向側の枠幅Ｘの３０％〜５０％に設定されている。
【００３２】
本実施例は、一般的なインサート成形（射出成形）により、収容具本体３を形成する樹脂（母材）と補強フィルム４とを一体に成形することで形成できる。
【００３３】
本実施例においては、図４に図示したような射出成形金型（上型21ａ及び下型21ｂ）を用い、その空洞部22（キャビティ）内にフィルム23の必要部分24を配置した状態で射出成形することで製造する。
【００３４】
即ち、先ず、図５に図示したように、空洞部22の左右両側からフィルム23の一部を空洞部22内に突出させた状態で、図６に図示したように注入口28から流動樹脂30を注入し、射出成形する。
【００３５】
フィルム23としては、少なくとも前記必要部分24に孔部（前記被係止部７）が複数並設されたものを採用する。本実施例ではフィルム23の幅方向一側端側全域に被係止部７となる孔部が並設されているものを採用している。
【００３６】
従って、射出成形時に収容具本体３を形成する樹脂がフィルム周りに注入されることで（孔部に入り込むことで）、フィルムの必要部分24（補強フィルム４となる部分）の各孔部を貫通する前記係止部６となる杆部が夫々形成される。この孔部と杆部との係止構造により、補強フィルム４は収容具本体３と強固に一体化される。
【００３７】
また、射出成形時には、フィルム23の前記空洞部22外に位置する不要部分25の所定箇所を位置決め機構で位置決めしている。
【００３８】
位置決め機構は、図４〜７に図示したように、フィルム23の不要部分25に形成された凹部26（パイロット穴）とこの凹部26に係止する金型側（下型21ｂ）に設けられる係止凸部27（位置決めピン）とで構成されたものを採用できる。これにより、射出成型時に流動樹脂によるフィルム23の位置ズレが確実に防止され、確実に所望の位置にフィルムを埋設することが可能となる。図中、符号29は係止凸部27を逃げる逃げ凹部である。
【００３９】
即ち、補強フィルム４（必要部分24）が小さい場合であっても、不要部分25をある程度大きくすることで、この不要部分25を位置決め機構で固定することで、必要部分24を位置決めすることができる。例えば、窓部２の収容具本体幅方向側の枠幅Ｘが０．５ｍｍ程度の場合、補強フィルム４の幅Ｙは０．１５ｍｍ〜０．２５ｍｍ程度と極めて小さいが、不要部分25を含めた全体として補強フィルム幅の１０〜３０倍程度、例えば５ｍｍ程度の幅のフィルム23を使用することで、必要部分24を確実に位置決めした状態で射出成形をすることができる。
【００４０】
そして射出成形後、図８，９に図示したようなフィルム23の必要部分24が収容具本体３の溝部５に埋設されたものを金型から取り出し、図１０に図示したようにフィルム23の不要部分25を切断除去することで、本実施例に係る転動体収容具が製造される。
【００４１】
また、本実施例においては、収容部本体３の樹脂（母材）と補強フィルム４とは同種材料としている。具体的には、母材としては熱可塑性ポリエステルエラストマーを採用し、補強フィルム４としてはポリエチレンナフタレート製の延伸フィルムを採用している。従って、収容部本体３と補強フィルム４との界面は良好に接着される。なお、補強フィルム４としては厚さ５０μｍ〜２００μｍ程度のものを採用できる。
【００４２】
本実施例では、延伸フィルムとしては長手方向及び幅方向に延伸された二軸延伸フィルムを採用している。なお、長手方向にのみ延伸された一軸延伸フィルム等、他の構成の延伸フィルムを採用しても良い。
【００４３】
また、本実施例は円柱状の転動体１（コロ）を収容する構成としているが、球状の転動体１（ボール）を収容する構成でも同様である。
【００４４】
なお、図１１，１２に図示した別例のように、更に上型21ａ及び下型21ｂに夫々、フィルム23の突出先端のバタつきや垂れを抑制するための挟持凸部31を対向状態に設けた金型を用いて形成しても良い。挟持凸部31はフィルム23の長手方向に沿って所定間隔で複数設ける。
【００４５】
別例では、挟持凸部31は円柱状とし、挟持凸部31の先端面の中心がフィルム23の突出先端縁と重なるように（挟持凸部31の先端面の約半分でフィルム23を挟持するように）配置している。また、挟持凸部31は、窓部２の収容具本体長手方向側の枠と同間隔で並設している。この場合、フィルム23の突出先端の位置を所定の位置に良好に保持することが可能となる。
【００４６】
また、別例は製造時に挟持凸部31が用いられることで、図１２に図示したように、収容具本体３の窓部２の収容具本体幅方向側の枠を連設した連設体に挟持凸部31に対応する孔部32が並設された構成となる。
【００４７】
本実施例は上述のように構成したから、補強フィルム４が収容具本体３の両端面の溝部５の対向内面に係止された状態で該溝部５に埋設される。従って、補強フィルム４は収容具本体３に強固に一体的に内装され、補強フィルム４による補強作用が長期間十全に発揮される。
【００４８】
よって、本実施例は、簡易な構造で補強フィルムを一体的に内装できる実用的なものとなる。
【符号の説明】
【００４９】
１  転動体
２  窓部
３  収容具本体
４  補強フィルム
５  溝部
６  係止部
７  被係止部
21ａ  金型（上型）
21ｂ  金型（下型）
22  空洞部
23  フィルム
24  必要部分
25  不要部分
26  凹部
27  係止凸部
Ｘ  枠幅
Ｙ  補強フィルム４の幅
【図１】
2018189115.tif 000003
【図２】
2018189115.tif 000004
【図３】
2018189115.tif 000005
【図４】
2018189115.tif 000006
【図５】
2018189115.tif 000007
【図６】
2018189115.tif 000008
【図７】
2018189115.tif 000009
【図８】
2018189115.tif 000010
【図９】
2018189115.tif 000011
【図１０】
2018189115.tif 000012
【図１１】
2018189115.tif 000013
【図１２】
2018189115.tif 000014